(57)【要約】  本発明は、少なくとも臀部及び各大腿部の上部を囲繞する支持部（２）と、股部中に配置された可撓性を有する収集バッグ（１０）と、を含む下着（１）に関する。
2010503444.tif 000002
【特許請求の範囲】
【請求項１】
少なくとも臀部及び各大腿部の上部を囲繞する支持部（２）、及び股部中に配置された可撓性を有する収集バッグ（１０）を含む、少なくとも１つの下着と、
少なくとも一人の患者の排せつ物を処理するための装置であって、排せつ物検出センサ（４１）、特に少なくとも１つの匂いセンサ、及び前記下着の前記収集バッグに接続するための少なくとも１つのシステム（３１）と、
前記センサ（４１）によって供給される情報に基づき、前記収集バッグ（１０）から排せつ物を排出する装置と、
を含む、排せつ物処理アセンブリ。
【請求項２】
前記支持部（２）は、股部中に開口部（５）を含み、
前記収集バッグ（１０）は、前記開口部（５）中に少なくとも部分的に配置される、請求項１に記載のアセンブリ。
【請求項３】
前記収集バッグ（１０）は、皮膚と接触状態にあるように設計される、請求項１または２に記載のアセンブリ。
【請求項４】
前記収集バッグ（１０）は、ユーザの会陰領域を覆うように設計される、請求項１から３のいずれか一項に記載のアセンブリ。
【請求項５】
排出オリフィス（１２）を介して前記収集バッグ（１０）に接続した排出管（１１）を含む、請求項１から４のいずれか一項に記載のアセンブリ。
【請求項６】
前記収集バッグは、前記排出管と一体で製作される、請求項５に記載のアセンブリ。
【請求項７】
前記排出管（１１）は、前記収集バッグ（１０）にそれを接続する、じょうご状に形作られた接続部（１３）を含む、請求項６に記載のアセンブリ。
【請求項８】
前記排出管（１１）は、排せつ物処理装置（３０）に接続するように構成された端部（２５）を含む、請求項６及び７の一項に記載のアセンブリ。
【請求項９】
前記排出管（１１）は可撓性を有し、前記支持部（２）に取り付ける手段を含む、請求項５から８のいずれか一項に記載のアセンブリ。
【請求項１０】
前記排出管（１１）が前記排せつ物処理装置（３０）に接続されていないとき、前記排出管（１１）の端部を閉鎖するためのキャップを含む、請求項５から９のいずれか一項に記載のアセンブリ。
【請求項１１】
前記閉鎖キャップは、水分検出センサを含み、
該水分検出センサは、水分閾値を超えたとき、起動するように構成された視覚及び／または音響の警報を含む、請求項１０に記載のアセンブリ。
【請求項１２】
注入オリフィス（１６）を介して前記収集バッグ（１０）中に接続した注入管（１５）を含む、請求項１から１１のいずれか一項に記載のアセンブリ。
【請求項１３】
注入オリフィス（１６）を介して前記収集バッグ（１０）中に接続した注入管（１５）を含み、前記排出管（１１）及び前記注入管（１５）は、互いに結合される、請求項５に記載のアセンブリ。
【請求項１４】
前記収集バッグ（１０）は、プラスチックの射出成形によって製作される、請求項１から１３のいずれか一項に記載のアセンブリ。
【請求項１５】
前記収集バッグ（１０）と前記支持部（２）との間に挿入されたシール（１９）を含む、請求項１から１４のいずれか一項に記載のアセンブリ。
【請求項１６】
前記収集バッグ（１０）は、前記支持部（２）から分離可能である、請求項１から１５のいずれか一項に記載のアセンブリ。
【請求項１７】
前記支持部（２）に前記収集バッグ（１０）を取り外し可能に接続するための手段を含む、請求項１から１５のいずれか一項に記載のアセンブリ。
【請求項１８】
前記支持部（２）は、繊維材料から、特に伸縮性の材料から製作される、請求項１から１７のいずれか一項に記載のアセンブリ。
【請求項１９】
前記支持部（２）は、２つの重ね合わせた層を有する、請求項１から１８のいずれか一項に記載のアセンブリ。
【請求項２０】
前記２つの重ね合わせた層の間に配置された複数の膨張可能なセル（２８）を含む、請求項１９に記載のアセンブリ。
【請求項２１】
前記装置は、殊に永久的にまたは実質的に永久的に前記収集バッグ（１０）中に空気を吹き込むように構成された空気処理ユニット（４０）を含む、請求項１から２０のいずれか一項に記載のアセンブリ。
【請求項２２】
前記装置は、排せつ物に関連する恐れがある匂いが検出された場合、より大量の空気を所定の期間、吹き込むように構成される、請求項１から２１のいずれか一項に記載のアセンブリ。
【請求項２３】
前記装置は、所定の匂いが所定の期間持続した場合、排せつ物を排出するように構成される、請求項１から２２のいずれか一項に記載のアセンブリ。
【請求項２４】
前記装置は、前記排せつ物が排出される前に、前記セルの全てまたはいくつかを膨張させるように構成される、請求項１から２３のいずれか一項に記載のアセンブリ。
【請求項２５】
前記装置は、前記収集バッグ（１０）中に注入するための洗浄液の容器（４９）を含む、請求項１から２４のいずれか一項に記載のアセンブリ。
【請求項２６】
前記装置は、潤滑液散布システム（５２）を含む、請求項１から２５のいずれか一項に記載のアセンブリ。
【請求項２７】
前記装置は、収納容器（４７）中に集められた排せつ物をリサイクルするためのシステム（５７）を含む、請求項１から２６のいずれか一項に記載のアセンブリ。
【請求項２８】
請求項１から２７のいずれか一項に記載のアセンブリによって患者の排せつ物を処理するための方法であって、
前記下着は、膨張可能なセルを含み、
前記方法は、
前記下着（１）の前記膨張可能なセル（２８）の全てまたはいくつかを少なくとも部分的に膨張させるステップと、
前記下着の収集バッグ（１０）中に存在する前記排せつ物を排出するステップと、
を含む方法。
【請求項２９】
ユーザ側の前記膨張可能なセル（２８）は、該ユーザの下の前記セルより前に膨張させられる、請求項２８に記載の方法。
【請求項３０】
前記排せつ物が排出される前に、洗浄液が前記収集バッグ（１０）中に注入される、請求項２８または２９に記載の方法。
【請求項３１】
前記収集バッグ（１０）は、排出の後に強制的に通気される、請求項２８から３０のいずれか一項に記載の方法。
【請求項３２】
潤滑液が、前記収集バッグ（１０）に注入される、請求項２８から３１のいずれか一項に記載の方法。
【発明の詳細な説明】
【技術分野】
【０００１】
本発明は、失禁（incontinence）を患う人々のための補助具に関する。
【背景技術】
【０００２】
完全失禁、尿失禁のみ、または尿及び便失禁は、フランス及び世界中の多くの人々を侵しており、それらの人々の中には、病院または老人ホームで長期の看護を受けている、殊に多数の高齢患者が含まれる。
【０００３】
この欠陥は、夜はベッドに束縛され、日中はずっとアームチェアに座らされる患者にとっては、主に自立性の喪失となっていることがしばしばである。これらの患者の中には、アルツハイマー病を患っている人もいる。
【０００４】
病気に侵されている患者にとっては、このような状況は、不快といらだちの源であり皮膚損傷（skin lesions）を悪化させるものである。
【０００５】
膀胱の不安定性に悩んでいる人々にとって、我慢できる時間は非常に短く、１分より短い場合があることを考えると、スタッフが来るのが遅すぎることがしばしばであり、そしてスタッフのメンバ数がしばしば不足しているので、全ての患者のコールに答えることは不可能になっている。
【０００６】
膀胱の収縮を抑制するように設計された内科療法によって膀胱活動を遅らせることも困難である、というのは、アルツハイマー病を患っている患者には、療法は、完全には受け入れることができず、または患者の協力と学習が必要になる会陰の再教育（perineal re-education）によっても、それは、アルツハイマー病または他の同様な病気の場合、やはり困難である。
【０００７】
これらの問題を解決するために、使い捨ておむつを患者に与えることが一般的なやり方である。最低限のレベルの快適性を得るために、患者は、毎日少なくとも４個の使い捨ておむつを使用しなければならず、それに対して余分のおむつが、必要であれば、臨機応変に追加になることがある。
【０００８】
毎日のおむつ数を更に減らすことは困難である、というのは、会陰の皮膚に尿及び便が接触して不快であると共に、それによって皮膚の炎症のリスクがもたらされ、皮膚部位の（cutaneous）、または皮膚に関する部分の（dermal）剥離が生じることがあるためである。
【０００９】
そのようなおむつを装着させることは、材料及び人材の両方の点でかなりのコストを要する。更に、おむつを頻繁に交換することは、患者が嫌う傾向がある、というのは、これに伴って尊厳が失われるからである。
【００１０】
更に、毎日おむつを装着させることは、この仕事を担当するスタッフのメンバに、過小評価されていると感じさせることになり得る。このために、人員採用に問題が生じ、人々の要望を満たすためにベッド数を増加することが不可能になることがある。
【００１１】
特許文献１には、専用のベッドを使用して、ベッドに束縛された人を洗うためのシステムが開示されている。人は下着を覆う衣類を着け、下着は会陰領域に穴があり、それに収納バッグが取り付けられる。開示された排せつ物排出システムは非常に高価であり、高度に専用化されたベッドが必要である。更に、衣類に支持された洗浄水の多数の注入点が存在するので、このシステムは、患者の自由を大幅に制限している。大腿部及び腰部のまわりのシールによって、シール間で体の汚れが多大になることがあり、そのためにシール間の領域を強力に洗浄することが必要になる。従って、特許文献１に記載のシステムは高齢者には適さない。
【００１２】
特許文献２には、男性または女性用のカテーテルが開示されており、そのカテーテルは、下穿きの中に、または外部に配置された装置によって液体を集め吸収することができる。開示されたシステムは活動的であり、数回の尿の排出物を吸収することができる、従来の吸収型おむつに類似する。その使用コストは比較的高い。
【００１３】
特許文献３には、穴がユーザの会陰領域中に位置する女性用の下着が開示されている。排出はキャップを介して行う。特許文献３は、洗浄または検出について教示しておらず、またバッグのどのような保守も述べられておらず、その保守によって、この装置の使用がユーザを不快にさせることがある。
【００１４】
特許文献４には、患者の尿を集めるための装置が開示されている。それは、尿排出手段を取り付けた装置を収納するための穴を含む衣類から構成される。開示されたシステムは患者をモニタせず、そして洗浄サイクルを変更する可能性を有さない自動的な非プログラム式システムによって操作される。更に、この装置の構成のために、患者は、快適で完全に安全に使用することができない。この装置によって行われる洗浄動作の性質から、装置は高齢者に適した装置になっていない。
【先行技術文献】
【特許文献】
【００１５】
【特許文献１】米国特許出願公開第２００２／００１０４４６号明細書
【特許文献２】国際公開第９１／０４７１４号パンフレット
【特許文献３】独国特許出願公開第４２１２６３９号明細書
【特許文献４】米国特許第５３４２５８３号明細書
【発明の概要】
【発明が解決しようとする課題】
【００１６】
従って、失禁に悩まされる患者の介護をより容易なものにし、患者の快適性及び清潔さを向上させる必要がある。
【課題を解決するための手段】
【００１７】
本発明は、この必要性を満たすことを追求し、その態様の一態様では、下着を提案しており、この下着は、
少なくとも臀部及び各大腿部の上部を囲繞する支持部と、
股部中に配置された可撓性を有する収集バッグと、を含む。
【００１８】
支持部は、股部中に開口部を有利にも含むことができ、収集バッグは、この開口部中に少なくとも部分的に配置することができる。
【００１９】
本発明による下着は、従来の使い捨ておむつの使用を減らす、または避けることができ、従って材料及びスタッフの点で失禁看護のコストをかなり減少させる。
【００２０】
本発明の下着は、非常に軽くすることができ、ユーザが着用するのに極めて容易で、ほとんど不快感を生じさせない。
【００２１】
下着は、有利にも皮膚と接触した状態で患者の体に直接着用する。下着は、特に、どのような他の衣類も部分的にまたは全体を覆わずともよい。
【００２２】
同時に、本発明は、排尿または排便と、その対応した排せつ物の処理との間の時間遅れを潜在的にゼロにまで著しく減少させる。用語「排せつ物（excreta）」は、尿及び便の両方をカバーする。
【００２３】
本発明によって、患者は、従来のベッドで休むことができる。
【００２４】
最後に、本発明の下着によって、快適性が増加され、患者の尊厳をひそかに傷つけることがある看護手当がそれほど頻繁でなくなる。
【００２５】
本発明の下着は、女性、男性または両方が使用することができる。
【００２６】
本発明の下着のおかげで、ユーザは、横になった姿勢で、またはアームチェアに座っているとき、あるいは立っているとき、あちこち動くことができ、そして快適に、または気楽になるように姿勢を変えることができる。
【００２７】
収集バッグは、開口部のまわりで皮膚と接触していてもよく、またはそうでなくてもよい。皮膚と接触させると、必要であればシールとして使用することができる。
【００２８】
収集バッグは、会陰領域を覆うことができ、特にユーザの陰部及び肛門の領域の両方を、尿及び便を両方集めるようにして覆うことができる。
【００２９】
収集バッグは、例えば満杯状態で５００ｃｍ３から最大で２０００ｃｍ３までの範囲で内部容積を画定することができる。
【００３０】
下着は、排出オリフィスを介して収集バッグに接続された排出管を有することができる。排出管は、下着内のチャネル中に配置することができる。収集バッグは、排出管と一体に製作することができる。一変形形態として、排出管は、例えば接着材による結合または溶接によって収集バッグ上に取り付けられる別の構成要素とすることができる。排出管は、排せつ物の排出を容易にするために、収集バッグに排出管を接続する、じょうご状（funnel-shaped）に形作られた接続部を含むことができる。
【００３１】
排出管は、収集バッグから離間された、排せつ物処理装置に接続するように構成された端部を含むことができる。この端部は、例えば、ねじ付きの端部または着脱容易なカップリングを含むことができる。
【００３２】
排出管は、可撓性を有するものとすることが有利である。
【００３３】
取り付け手段は、例えば腰部に向けて支持部に排出管を取り付けることができるように設けられる。
【００３４】
下着は、排出管が処理装置に接続されていないとき、排出管を閉鎖するために、キャップを含むことができる。閉鎖キャップは下着に取り付けることができる。
【００３５】
閉鎖キャップは、水分検出センサを含むことができ、このセンサは、例えば、水分閾値を超えたときに起動するように構成された視覚及び／または音響の警報を含む。この警報は、必要であれば、キャップ中に組み込むことができる自律的バッテリ電源（autonomous battery supply）を含むことができる。
【００３６】
下着は、例えば、収集バッグ中に空気を吹き込むことを可能にするように洗浄液及び／または潤滑液を注入するときに使用するために、注入オリフィスを介して収集バッグ中に接続された注入管を含むこともできる。
【００３７】
排出管及び注入管は、互いに結合することができ、特にそれらの幅方向の部分について結合することができる。これらの管は、例えば共押し出し法によって製作する、または共通のシース（sheath）内で係合させることができる。
【００３８】
収集バッグは、プラスチック材料、特に低密度のポリエチレン等のポリオレフィン等の可撓性を有する熱可塑性物質の射出成形によって製作することができる。使用する材料は、皮膚との長期にわたる接触に適合することができ、殊に非アレルギー性とすることができる。
【００３９】
下着は、収集バッグと支持部との間に挿入された、シリコーンシール等のシールを含むことができる。このシールを使用すると、支持部へのバッグの取り付けを向上させる、及び／またはその周辺部の皮膚への密着性を向上させることができる。
【００４０】
収集バッグは、支持部から分離することができるように製作することができる。
【００４１】
必要であれば、収集バッグは、支持部に固定する必要はなく、むしろ支持部が皮膚に対して保持されるための密着性によってだけで支持部に保持する必要がある。
【００４２】
一変形形態では、下着は、少なくとも１つのフックループテープ（hook-and-loop tape）、ジッパー、スナップ（press studs）、１つまたは複数のストラップ、またはフック等、支持部に収集バッグを取り外し可能に接続するための手段を含むことができる。接続手段は、患者を不快にさせないように、皮膚から離れて回転させたバッグの面上に有利にも配置することができる。
【００４３】
収集バッグは、支持部と同じ材料から製作する必要はない。
【００４４】
支持部は、伸縮性材料から製作することができ、それによって快適性を増加することができ、そして必要であれば、開口部のまわりで皮膚に対してよりしっかりと収集バッグを保持することができる。
【００４５】
支持部は、繊維材料から少なくとも部分的に製作することができ、あるいは不織布、好ましくは、皮膚が呼吸することができるように、気密でも蒸気気密でもない材料から製作することができる。
【００４６】
支持部は、必要であれば、洗浄可能な材料から製作することができる。
【００４７】
支持部は、さまざまな構造によって製作することができ、２つ以上の重ね合わせた層を含むことができ、それによって、これらの層の間に下着の快適性を向上させる要素及び／または下着を洗浄化するために役立つ要素を一体化することが可能になる。
【００４８】
従って、下着は、本発明の例示の実施形態では、１つの膨張手段によって膨張させるために互いに接続することができる、２つの重ね合わせた層の間に配置された複数の膨張可能なセルを含むことができる。セルを膨張させることによって、排出、洗浄及び乾燥が容易になる。
【００４９】
支持部の内側層は、弾力性があり、優しく支える、快適なものとすることができ、外側層は、弾力性がありより、しっかりと支えるものとすることができる。
【００５０】
下着は、２つの重ね合わせた層の間でいくらか通気ができるように構成することもできる。
【００５１】
下着は、吸収材料を含む必要はない。
【００５２】
下着は、収集バッグに接続された管を含むことができる。これらの管は、処理装置に接続させるためのシステムに繋がることができる。この接続システムは、磁気による係合を含むことができる。
【００５３】
尿及び便の排出は、収集バッグの同じオリフィスを介して行うことができる。
【００５４】
接続システムは、接続のステータスに関する情報を処理装置に与えるための電気接点を含むことができる。
【００５５】
接続システムは、プラグガイドを含むことができる。
【００５６】
本発明は、その態様の別の態様では、少なくとも一人の患者の排せつ物を処理するための装置に更に関し、その装置は、少なくとも１つの排せつ物検出センサ及び上記で述べたような下着に接続するための少なくとも１つのシステムを含み、その処理装置は、センサによって供給される情報に基づき、収集バッグから排せつ物を排出する。
【００５７】
処理装置は、少なくとも１つの匂いセンサを特に含むことができる。
【００５８】
処理装置は、センサによって供給される情報を分析し、この情報に基づき処理サイクルを動作させるように構成されたマイクロプロセッサまたはマイクロコントローラを含むことができる。
【００５９】
介護人と処理装置との間のインターフェースは、手動式アクチュエータと、動的データ及びモニタ用スクリーンと、安全警報と、を含むことができる。
【００６０】
処理サイクルは、排せつ物の排出、洗浄及び任意選択で乾燥、及び／または、例えば快適性を高めるために潤滑液または他の合成物の注入を含むことができる。
【００６１】
処理装置は、殊に永久的にまたは実質的に永久的に、殊に可変流量で、収集バッグ中に空気を吹き込むように構成された空気処理ユニットを含むことができる。空気が「永久的にまたは実質的に永久的に（permanently or essentially permanently）」吹き込まれるということは、空気流に中断があることがあるが、これらの中断は、約２時間より長くにはならないことが好ましいことを意味すると理解すべきである。
【００６２】
従って、空気流は、実効的で連続的であることが好ましく、あるいは、特に患者が横になっている、または座っているときに、処理装置及び付随する下着の使用期間の少なくとも半分であることが好ましく、または使用期間の４分の３であっても構わない。
【００６３】
処理装置は、排便に伴う恐れがある匂いが検出された場合、所定の期間、例えば１５秒から２分の間、より大量の空気を吹き込むように構成することができる。匂いが持続する場合、任意選択で、更に増加した量の空気を吹き込んだ後、処理サイクルを開始してもよい。
【００６４】
処理装置は、排せつ物を排出する前に、例えば匂いが検出されるとすぐに、上記に述べた膨張可能なセルの全てまたはいくつかを膨張させるように構成することができる。
【００６５】
処理装置は、排出された排せつ物を受け取るための容器と、及び／または少なくとも１つの粉砕ポンプと、を含むことができる。１つまたは複数の粉砕ポンプは、装置中に組み込む、及び／または処理装置上でバッグの出口コネクタに配置することができる。
【００６６】
処理装置は、収集バッグ中に注入するための洗浄液の容器を含むことができる。この洗浄液は、体温に近い温度で注入することができる。それは、例えば、所望なら少なくとも１つの添加剤を含んだ温かい、または微温の水とすることができる。洗浄液は、例えば１点から注入することができる。
【００６７】
処理装置は、匂いが検出されるとすぐに、及び／または排出若しくは洗浄中に、若しくはそれらが終了したときに、ワセリン等の潤滑液を注入するためのシステムを含むことができる。洗浄後、潤滑液の注入前に、通気による乾燥を行うことが可能である。
【００６８】
本発明は、その態様の別の態様では、排せつ物処理アセンブリにも関し、その排せつ物処理アセンブリは、
少なくとも１つの上記に規定したような収集バッグと、
上記に規定したような処理装置と、を含む。
【００６９】
排せつ物処理アセンブリは、所望なら、複数の処理装置を含む。
【００７０】
処理装置は、さまざまな部屋に配置することができ、患者は、現在いる場所によって処理装置のいずれにも接続することができる。
【００７１】
１つの処理装置は、例えば数人の患者が同じ部屋にいるとき等、これらのユーザが同時に処理装置に接続できるようにする、いくつかの接続システムを有利にも有することができる。
【００７２】
一変形形態として、処理装置は、１つの接続システムを含むことができ、それは、例えば一人の患者に属するベッドまたはアームチェアの近くに配置するように設計される。その処理装置は、自律性が限定された可動式とすることができ、例えば限られた処理サイクル数に限定される。その装置は、ベッド、ストレッチャ、アームチェアまたは歩行器に取り付けることができ、あるいは動くのが不自由な人が動き回ることができるようにする乗り物に取り付けることができる。
【００７３】
処理装置は、必要であれば、例えば排せつ物の性質及び量等の個人情報に基づき、処理サイクルを動作させることができる。
【００７４】
処理装置は、処理サイクルが開始された時間及び日付、排出された排せつ物のタイプ、検出された匂いの性質、及び患者名等の処理装置の動作に関する情報を格納するように設計することができ、装置上で直接または遠隔でこの情報を編集することが可能である。
【００７５】
従って、看護スタッフは、患者の潜在的な消化の問題または尿の問題を見いだすことができる。
【００７６】
本発明は、上記の事項と独立して、またはそれと共同して、上記に規定したアセンブリによって患者の排せつ物を処理するための方法にも関し、そこでは下着が膨張可能なセルを含み、この方法は、
膨張可能なセルの全てまたはいくつかを少なくとも部分的に膨張させるステップと、
収集バッグ中に存在する排せつ物を排出するステップと、を含む。
【００７７】
ユーザ側の膨張可能なセルは、ユーザを不安定にさせないように、ユーザの下部にあるセルより前に膨張させることが好ましい。
【００７８】
セルは、例えば収集バッグ中に排せつ物が存在することを表す匂いが検出されるとすぐに、または一変形形態では、そのような匂いが持続すると、膨張させることができる
【００７９】
適切である場合、処理装置は、ユーザが操作するように設計することができ、従ってユーザは、例えば処理サイクルを開始する、またはセルを先に膨張させる等、このサイクルの一定の動作だけを開始することができる。制御は、例えば遠隔制御によって行うことができる。そのような可能性は、失禁を患っていないが、看護スタッフの負担を軽減するためにベッドにとどまっている必要がある患者に役立つことができる。
【００８０】
洗浄液は、排せつ物が排出される前に収集バッグ中に注入することができる。
【００８１】
収集バッグは、ユーザを乾かすために、排出及び洗浄の後に強制的に通気することができる。
【００８２】
潤滑液は、殊に排出後あるいは排出中及び排出後に収集バッグ中に注入することができる。
【００８３】
処理は、膨張可能なセルを収縮させることによって終了することができる。
【００８４】
本発明は、分離され支持部から独立していると見なされる収集バッグにも関する。
【００８５】
本発明は、その限定しない一実施形態の一例についての以下の詳細な説明を読むことによって、及び添付図面を検討することによってより明確な理解を得ることができる。
【図面の簡単な説明】
【００８６】
【図１】本発明による下着を示す図である。
【図２】図１に示す下着の一部分の図１と類似の図である。
【図３】分離された、図１に示す下着の収集バッグの斜視図である。
【図４】ユーザ上で所定の姿勢にある、図１に示す下着の収集バッグの斜視図である。
【図５】収集バッグの上面図である。
【図６】収集バッグの展開下面図である。
【図７】下着を着用したユーザを貫通した概略部分横断面図である。
【図８】本発明による処理装置の部分概略図である。
【図９】装置及び下着の両方の動作を概略的に部分的に示すブロック図である。
【図１０】どのように下着を着用するのかを示す、図１と同様の斜視図である。
【図１１】どのように下着を着用するのかを示す、図１と同様の斜視図である。
【図１２】図８に示す処理装置への本発明による下着の接続部を貫通した部分概略断面図である。
【図１３】下着の接続を示す、処理装置の正面図である。
【図１４】収集バッグの一変形実施形態を示す図である。
【発明を実施するための形態】
【００８７】
図１は、本発明による下着１を着用したユーザＵの斜視図である。下着１は、１つのボクサースタイルのショーツに類似し伸縮性の材料から製作され臀部及び各大腿部の上部を囲繞する支持部２を含む。
【００８８】
支持部２は、比較的優しい支持圧力を加えて腰部で弾性バンド３によって保持することができることが好ましい。
【００８９】
支持部２は、織布または不織布の材料から、好ましくは、洗濯可能で空気及び水蒸気を透過させる繊維材料から製作することができる。
【００９０】
支持部２は、股部にあって陰部及び肛門の領域を露出させる開口部５を有する。
【００９１】
下着１は、図３〜図６に示す可撓性を有する収集バッグ１０を備えており、開口部５中に配置されてこの開口部を覆う。
【００９２】
収集バッグ１０は、例えば支持部２とユーザＵの皮膚との間にその周辺部１９を挿入することによって、開口部５中の所定位置に保持される。
【００９３】
周辺部１９と皮膚との間で接触させて漏れないようにすることは、支持部２によって圧力を働かせることだけで確保することができる。下着は、図７に示すように、任意選択で、収集バッグ１０と支持部２との間にシール２０を含むことができる。シールは、膨張可能とすることができ、その場合、シールは、匂いの検出時に更に安心を得るために膨張させることができる。
【００９４】
支持部２は、検討している例では、図７に示すように、複数の相互接続された膨張可能なセル２８を含むエアクッションによって分離された、２つの重ね合わせた外側層２６及び内側層２７を含む。外側層２６は、適度に支持し、内側層２７は、優しく支持することができる。
【００９５】
一度膨張すると、セル２８は、収集バッグ、排出管及び注入管が患者によって潜在的にもう圧迫されないように、ベッドまたはチェアから患者の体を持ち上げる。従って、処理サイクルが妨げられることはない。
【００９６】
それと同時に、セル２８を膨張させると、適切な場合、シール２０によって収集バッグ１０の密封性が、その周辺部１９のまわりで圧迫することによって高められる。
【００９７】
本発明の理解を助けるために、図７にそのセル２８が収縮した下着１の左側半分を示し、図７の右側に膨張したセル２８を示す。
【００９８】
収集バッグ１０は、排出管１１に接続され、それは、排出オリフィス１２を介してバッグ１０に接続している。
【００９９】
例示された例では、排出管１１は、収集バッグと一体物として製造される。例えば、この管が、収集バッグに熱溶接される、または接着剤で結合される場合、あるいはある他の方法によってそれに取り付けられる場合等、他の構成を採用しても、もちろん本発明からの逸脱にはならない。
【０１００】
排出管１１は、述べる例では、収集バッグ１０にそれを接続する、略じょうご状に形作られた接続部１３を含む。この接続部は、収集バッグ中に存在する排せつ物を排出管１１中に排出することを容易にする。
【０１０１】
下着１は、注入管１５も含み、注入管１５は、注入オリフィス１６を介して収集バッグ１０中に接続している。この注入管１５を使用して、洗浄液及び／または潤滑液及び／または通気のための空気を注入することができる。
【０１０２】
例示する例では、排出管１１及び注入管１５は、収集バッグ１０の出口で互いに結合される。それらは、図３〜図６に示すように共通のシースを有する。
【０１０３】
注入オリフィス１６は、例示する例では、収集バッグ１０の後部上部に配置され、排出オリフィス１２は、バッグ１０の後部下部に配置される。
【０１０４】
排出管１１は、収集バッグ１０のように、可撓性を有し、弾性的に変形可能であることが好ましい。これによって、例えばユーザが座っている、または横になっているとき、それらを圧縮することができ、そしてユーザが立ち上がったとき、あるいは排尿または排便するとき、それらの形状を再び取り戻すことができる。
【０１０５】
収集バッグ１０は、熱成形して、特に可撓性を有するプラスチック射出成形品とすることができる。それは、例えば低密度のポリエチレンとすることができる。排出管１１及び注入管１０は、同じ材料から製作することができる。
【０１０６】
排出管１１は、収集バッグ１０に接続された端部から離間されており、その取り付けられていない端部において、例えば腰部に向かっての支持部２への取り付け手段を含むことができる。それは、例えば、Ｖｅｌｃｒｏ（登録商標）のストリップ等のフックループ取り付け型システム（hook-and-loop attachment type system）とすることができる。
【０１０７】
このようにして、排出管１１の端部２５は、排せつ物が排出されることがないように、持ち上げて支持部２に取り付けることができる。これによって、ユーザが、動き回ることが可能になる。収集バッグ１０から排出するためには、ユーザが、例えばトイレで排出管１１の端部２５を単に下げるだけでよい。
【０１０８】
排出管１１は、水分検出センサを含んだ、例えば水分の閾値を超えたとき起動するように構成された視覚及び／または音響及び／または遠隔の警報を備えたキャップによって閉鎖することができる。
【０１０９】
警報は、例えば自律的バッテリ電源を含むことができる。従って警報によって、収集バッグ１０から排出する必要をスタッフまたは患者に警告することができる。
【０１１０】
どのようにして本発明を実施することができるかの一例として、下着は、図８及び図９に示すように、管１１の端部２５を接続することができる処理装置３０と共に使用するように設計される。
【０１１１】
図８に概略的に示す処理装置３０は、外側筺体を含み、外側筺体は、それを下着に、より具体的には排出管１１の端部２５に接続するためのシステム３１と、電源３２と、吸水してドレインへ水を排出するためのコネクタ３３と、装置を自動的に洗浄するためのコネクタ３４と、コントロールパネル３５と、を含む。
【０１１２】
処理装置３０は、収集バッグ中に空気を吹き込むための空気処理膨張ユニット４０を含む。流入空気流は、図９に示すように、注入管１５及び注入オリフィス１６を通過し、流出空気流は、排出管１１及び排出オリフィス１２を通過する。
【０１１３】
移動空気は、匂いセンサ４１によって分析され、匂いセンサ４１は、メタン、プロパン及びブタンに特に鋭敏である特に８１３タイプ、及び／またはアンモニア、二酸化硫黄、アルコール及び炭化水素に特に鋭敏である８２２タイプの工業用ガスセンサ等である。８１３タイプのセンサは、排せつ物及びガスを検出するために使用することができ、８２２タイプのセンサは、尿を検出するために使用することができる。他のセンサを使用できることは明白であろう。
【０１１４】
収集バッグ中に吹き込まれた空気の分析によって、排せつ物の存在を検出することが可能になり、それによって収集バッグ中に溜まった排せつ物を必要なときに排出させる。
【０１１５】
処理装置３０は、センサ４１によって供給される情報を分析し、処理サイクルをモニタするように構成されたマイクロプロセッサまたはマイクロコントローラを有した中央処理装置４２を有することが好ましい。
【０１１６】
中央処理装置４２は、匂い４１の存在が、例えば単に発汗または放屁によるものと決定し、その場合は排せつ物処理サイクルを開始せず、あるいは収集バッグ中に実際排せつ物が存在することによるものと、いずれかに決定するように構成することができる。
【０１１７】
この目的のために、中央処理装置４２は、所定の匂いが、２分間より長い等、所定の期間持続したとき、排せつ物を排出することのみを必要とする。排せつ物がない場合、不快な匂いは、空気流によって迅速に排出される。不快な匂いが検出された場合、空気流量は、例えば１分間といった、所定の期間、一時的に増加して収集バッグをより効果的に換気し、これらの匂いの原因に関する不確実性を取り除くことができる。
【０１１８】
収集バッグを通る空気流路によって、これまで見てきたように、センサによって分析するために匂いを伝達することが可能になり、そして収集バッグをある程度乾燥させて発汗を防止することも可能になる。更に、この空気流はまた、排出及び洗浄の後にユーザの皮膚を乾燥させる。
【０１１９】
これらの全てに加えて、空気吹き込み膨張ユニットによって、必要なとき、すなわち収集バッグ１０から排せつ物の排出に先立ち膨張可能なセル２８を膨張させることが可能である。この目的のために、膨張ユニット４０は、空気供給管４５によってセル２８に接続される。
【０１２０】
処理装置３０によって排せつ物を検出したとき、セル２８を膨張させる。
【０１２１】
装置３０は、ユーザを後ろから見た図１１に示すようにユーザの下に配置されたセル２８より前に、図１０に示すようにユーザ側のセル２８を最初に膨張させるように構成されることが好ましい。従って、ユーザは、膨張中に不安定にされず、それゆえ排出動作中、快適な状態のままである。
【０１２２】
処理装置３０は、収集バッグ１０から排せつ物を収納容器４７に移動させるための粉砕ポンプ４６を含む。ポンプは、処理装置中に、及び／または管１１が処理装置に接続している管１１の端部２５に取り付けることができる。
【０１２３】
排せつ物の排出を容易にするために、ポンプ４８は、注入管１５及び注入オリフィス１６を介して、例えばタンク４９中に予め貯蔵された洗浄液を注入することができる。
【０１２４】
快適性を高めるために、洗浄液４９は、体温に近い温度で注入することが好ましい。この温度は、温度コネクタ５０によってモニタされる。
【０１２５】
タンク４９は、コネクタ３３を介してソレノイドバルブ５５を通して充填することができる。
【０１２６】
排出は、散布ユニット５２を介して潤滑液を注入することによっても容易に実施することができ、潤滑液は、注入オリフィス１６を介して散布される。潤滑液は、例えば注入管１５を介して空気を加速して注入することによって、極めて細かくバッグ中に散布し送ることができる。潤滑液を注入すると、潤滑液が排せつ物を被覆することができるので排せつ物の排出が容易になり、排せつ物の移送が容易になり、そして同時に、潤滑液は、皮膚及び粘膜を保護する脂質層を形成するので、収集バッグ中での侵軟を防止する助けとなることができる。
【０１２７】
潤滑液は、例えば約３０秒の期間、注入することができる。
【０１２８】
処理サイクルは、ユニット４０の制御下でセル２８を収縮させることによって終了することができる。
【０１２９】
容器４７中に集められた排せつ物は、ポンプ５４によって外部に、特にドレインに、例えばコネクタ３３を介して、または任意の常設の標準アダプタによってトイレに排出することができる。
【０１３０】
一変形実施形態では、処理装置３０は、容器４７中に集められた排せつ物をリサイクルするシステム５７を含むことができる。
【０１３１】
この種のリサイクルシステム５７は、容器４７中の液体を沈殿させることによって、この液体の分離を可能にするように構成することができる。固形排せつ物は、液状と固形の排せつ物を分離する使い捨てフィルタカートリッジ５８中にポンプで送り出し、圧力下で注入することができる。尿は、この目的で設けられた使い捨てカートリッジ５８中にポンプで送り、その中に貯蔵することができる。次いで、集められた液体は、紫外線殺菌管に沿って送り、その後、洗浄液タンク４９中に再注入することができる。この変形形態を採用した場合、タンク４９は、油性生成物を含むことになることが好ましい。このタイプの動作では、洗浄液が油性生成物を自然に含むので、潤滑液を注入することは必要でない場合もあろう。
【０１３２】
図１２及び図１３に、下着を処理装置３０に接続するためのシステム３１の一例を示す。
【０１３３】
接続システムは、この例では、処理装置３０中の整合筺体６１中に挿入し、下着の端部と処理装置３０の係合を容易にするように設計されたプラグガイド６０を含む。
【０１３４】
更に、接続が維持されることを保証するために、下着と処理装置は、それぞれが、互いに向かい合って配置され、接続が確実であることを保証するように適切に磁化されたマグネット６５を含む。
【０１３５】
述べる例では、接続システム３１は、４対のマグネット６５を含む。
【０１３６】
処理装置３０は、マイクロプロセッサ４２に接続のステータス、すなわち、収集バッグが処理装置３０に接続されているか、そうでないかを送ることができる電気接点６７を含むこともできる。
【０１３７】
さまざまな管、すなわち排出管１１、注入管１５及び膨張可能なセルのための膨張管４５は、例えば合成繊維から製作された可撓性を有するジャケット６８中に挿入することができる。
【０１３８】
収集バッグ１０の排出管１１は、図１２に見ることができるように、リップアダプタ６９によって粉砕ポンプ４６に接続するように設計される。
【０１３９】
本発明は、上記に述べた一実施形態の特定の例に限定されない。
【０１４０】
支持部２の形状は、特に図１に示した形状と異なることができる。支持部は、例えば患者が適切でないときに脱衣しないように防止するために確実に密着したショートスリーブのアンダースーツ（undersuit）の形を取ることができる。
【０１４１】
支持部２は、収集バッグの位置決め及び／または保持をより容易にするために、股部中に膨張可能なシールを有した、または有さない折り蓋を含むこともできる。
【０１４２】
一変形形態では、支持部２は、開口部５を有さなくともよく、この場合、収集バッグ１０は、支持部の内部に挿入することができる。適切な場合、支持部２は、バッグが過大に圧縮されないように、股部においてより伸張性があるものとすることができる。
【０１４３】
もちろん、支持部は、全ての見込まれるユーザに合うように、いくつかのサイズで提供することができ、それは、収集バッグも同様とすることができる。
【０１４４】
図１〜図６に示す例示の実施形態では、下着１は、収集バッグ１０中に１つの注入オリフィス１６を有するが、異なる構成を採用しても、例えば注入管１５が複数の注入オリフィス１６を介して接続されたとしても本発明からの逸脱にはならない。
【０１４５】
一例を提示するために、図１４に、注入管１５が２つの注入オリフィス１６に接続され、その１つが収集バッグの前部にあり、他が後部にある例示の実施形態を示す。
【０１４６】
この目的のために、注入管１５は、図１４に示すように、収集バッグに、すなわちその周辺部に溶接された部分と、それぞれが注入オリフィス１６の１つに繋がっている２つの分岐パイプを画定するブランチ７０と、を含む。
【０１４７】
図１４に示す例では、排出管１１は、収集バッグ１０に接続し、そして収集バッグ上の対応したリップに溶接されたリップを有した円錐形状である。これは、排せつ物の排出が漏れないように保証するためである。
【０１４８】
本発明の一代替実施形態では、下着は、センサを有さなくてもよい。１つまたは複数のセンサは、処理装置中に配置することができる。これは、下着のコストを減少させる方法になる。
【０１４９】
一変形形態では、下着及び／または処理装置は、液体センサを有さない。
【０１５０】
更に、処理装置３０は、ドレインや水供給管等の注入及び排出のパイプのネットワークに接続されるとして述べてきたが、異なる構成を採用し、例えば処理装置３０が、自律的であり、液体を供給されず、そして液状または固形の排せつ物の排出が必要でなくて所与の数のサイクルのために機能することができるとしても、本発明から逸脱するものではない。処理装置は、例えば、少なくとも５回の処理サイクルを自律的に実施するように設計することができる。この場合、リサイクルシステムは、特に有用である。
【０１５１】
処理装置は、所望なら、ベッド、車いすまたはストレッチャ中に組み込むことができる。
【０１５２】
処理装置の自律性を高めるために、装置は、電気の幹線への接続に依存しなくてもよいように、再充電可能なバッテリを有することもできる。
【０１５３】
用語「含む（comprising a）」は、相反することが規定されていない限り、「少なくとも１つを含む（comprising at least one）」と同義であると理解すべきである。
【符号の説明】
【０１５４】
Ｕ  ユーザ
１  下着
２  支持部
３  弾性バンド
５  開口部
１０  収集バッグ
１１  排出管
１２  排出オリフィス
１３  接続部
１５  注入管
１６  注入オリフィス
１９  シール、周辺部
２０  シール
２５  端部
２６  外側層
２７  内側層
２８  膨張可能なセル
３０  処理装置
３１  接続システム
３２  電源
３３  コネクタ
３４  コネクタ
３５  コントロールパネル
４０  空気処理膨張ユニット、空気処理ユニット
４１  排せつ物検出センサ、匂いセンサ
４２  中央処理装置、マイクロプロセッサ
４５  空気供給管、膨張管
４６  粉砕ポンプ
４７  収納容器
４８  ポンプ
４９  洗浄液の容器、洗浄液タンク、洗浄液
５０  温度コネクタ
５２  潤滑液散布システム
５４  ポンプ
５５  ソレノイドバルブ
５７  リサイクルシステム
５８  使い捨てフィルタカートリッジ
６０  プラグガイド
６１  整合筺体
６５  マグネット
６７  電気接点
６８  ジャケット
６９  リップアダプタ
７０  ブランチ
【図１】
2010503444.tif 000003
【図２】
2010503444.tif 000004
【図３】
2010503444.tif 000005
【図４】
2010503444.tif 000006
【図５】
2010503444.tif 000007
【図６】
2010503444.tif 000008
【図７】
2010503444.tif 000009
【図８】
2010503444.tif 000010
【図９】
2010503444.tif 000011
【図１０】
2010503444.tif 000012
【図１１】
2010503444.tif 000013
【図１２】
2010503444.tif 000014
【図１３】
2010503444.tif 000015
【図１４】
2010503444.tif 000016
【国際調査報告】
2010503444.tif 000017
2010503444.tif 000018
2010503444.tif 000019
2010503444.tif 000020
2010503444.tif 000021
2010503444.tif 000022